(57)【要約】【課題】遠隔地にいる通信相手に対して自分のいる場所の状況を知らせるための画像を送信する際、より認知しやすい画像を通信相手に送信可能にした携帯電話機を提供する。【解決手段】カメラが設けられた第１の筐体および第１の筐体を支持する第２の筐体を有する携帯電話機であって、第２の筐体に対して第１の筐体を所定の回転軸を中心に回転させる駆動部と、カメラの動作中に撮影方向変更の指示が入力されると、その指示にしたがって駆動部を動作させる制御部と、カメラの撮影画像を基地局を介して外部に送信する通信部とを有する構成である。【選択図】図１
2008301400.tif 000002
【特許請求の範囲】
【請求項１】
カメラが設けられた第１の筐体および該第１の筐体を支持する第２の筐体を有する携帯電話機であって、
前記第２の筐体に対して前記第１の筐体を所定の回転軸を中心に回転させる駆動部と、
前記カメラの動作中に、撮影方向変更の指示が入力されると、該指示にしたがって前記駆動部を動作させる制御部と、
前記カメラの撮影画像を基地局を介して外部に送信する通信部と、
を有する携帯電話機。
【請求項２】
前記第１の筐体および前記第２の筐体の接続部には、これらの筐体を重ね合わせて折り畳むことを可能にするヒンジが設けられ、
前記所定の回転軸は、
前記ヒンジによる第１の回転軸と、該第１の回転軸に垂直で前記第１の筐体の中心を通る第２の回転軸との２軸を含むものである、請求項１記載の携帯電話機。
【請求項３】
前記撮影方向変更の指示には、前記所定の回転軸を中心に所定の回転方向に回転させるための角度の情報が含まれ、
前記制御部は、
前記指示が入力されると、前記所定の回転軸を中心に前記所定の回転方向に前記角度の分だけ前記第１の筐体を回転させるように前記駆動部を動作させる、請求項１記載の携帯電話機。
【請求項４】
前記制御部は、
前記撮影方向変更の指示を含む信号を前記通信部を介して外部の情報端末から受信すると、前記カメラの撮影方向を変化させた後、前記カメラの撮影画像を前記情報端末に送信する、請求項１から３のいずれか１項記載の携帯電話機。
【発明の詳細な説明】
【技術分野】
【０００１】
本発明は、カメラを内蔵し、静止画および動画の撮影ならびに撮影された画像を基地局を介して外部に送信可能な携帯電話機に関する。
【背景技術】
【０００２】
従来のテレビ携帯電話機におけるカメラの撮影方向は、携帯電話機本体に対して固定してあった。特許文献１に開示されているように、ズームレンズを搭載することにより、撮影倍率を変更可能なものもあった。しかしながらテレビ携帯電話本体に対するカメラの撮影方向を変えることは不可能であった。よって、撮影方向を変えたい場合は、撮影者がテレビ携帯電話機本体を動かして、撮影方向を変えることで対応していた。
【特許文献１】特開２００３−３０９６３２号公報
【発明の開示】
【発明が解決しようとする課題】
【０００３】
近年、テレビ携帯電話機の新たな使用法としてテレサポートが注目されている。テレサポートとは、視覚障害者がテレビ携帯電話機にて撮影した画像を送信することにより、遠隔にいる介助者が視覚障害者に対して視覚障害者の目の前にある情報を伝えるサポート法である。ここで、視覚障害者が求める情報は多岐にわたるため、通常のカメラによる画像だけでは情報を得るのが困難な場合がある。例えば、紙に印刷された文書の内容をテレサポートによって知りたい場合は、通常のカメラで撮影した画像で充分である。
【０００４】
しかし、従来のテレビ携帯電話機を用いてテレサポートを行う場合において、介助者が希望する被写体が画像に含まれていない場合、撮影方向変更を希望する介助者からの「もうすこし右」や「もうすこし下」というような音声による指示にしたがって、視覚障害者がテレビ携帯電話機本体を動かして方向を変える必要があった。
【０００５】
視覚障害者がテレビ携帯電話機を保持した手を動かして撮影方向を変えたとき、手を動かし過ぎてしまうと、基準となる元の撮影位置から離れ過ぎ、介助者から「一旦元の位置に戻して下さい」と言われても、元の位置に戻すのが困難になってしまう。このように、介助者の希望するとおりの方向に調整するのは手間がかかるだけでなく、視覚障害者に負担がかかっていた。
【０００６】
本発明は上述したような従来の技術が有する問題点を解決するためになされたものであり、遠隔地にいる通信相手に対して自分のいる場所の状況を知らせるための画像を送信する際、より認知しやすい画像を通信相手に送信可能にした携帯電話機を提供することを目的とする。
【課題を解決するための手段】
【０００７】
上記目的を達成するための本発明の携帯電話機は、カメラが設けられた第１の筐体および該第１の筐体を支持する第２の筐体を有する携帯電話機であって、
前記第２の筐体に対して前記第１の筐体を所定の回転軸を中心に回転させる駆動部と、
前記カメラの動作中に、撮影方向変更の指示が入力されると、該指示にしたがって前記駆動部を動作させる制御部と、
前記カメラの撮影画像を基地局を介して外部に送信する通信部と、
を有する構成である。
【０００８】
本発明では、カメラで撮影する携帯電話機から遠隔地にあっても、カメラが設けられた筐体を所定の回転軸を中心に回転させることで様々な方向の撮影画像を基地局を介して取得することが可能となるため、撮影場所の状況をより把握しやすくなる。
【発明の効果】
【０００９】
本発明によれば、視覚障害者をテレサポートする介助者が遠隔地にいても、視覚障害者側の携帯電話機から介助者の情報端末に撮影画像を送信し、視覚障害者の要求する情報に応じて撮影画像の撮影方向を変更することで、介助者は、情報を読み取るのに最適な画像を確保し、視覚障害者へのサポートをより容易にすることができる。
【発明を実施するための最良の形態】
【００１０】
本発明の携帯電話機は、カメラの撮影方向を変更可能にした駆動部を有することを特徴とする。以下に、本発明の携帯電話機の実施例を説明する。
【００１１】
本実施例では、携帯電話機は、動画を撮影するとともに動画像を他の携帯電話機に基地局を介して送信可能なテレビ携帯電話機の場合で説明する。また、介助者が視覚障害者に対してテレサポートをするために、介助者側のテレビ携帯電話機と視覚障害者側のテレビ携帯電話機との間で通信させる場合とする。
【００１２】
本実施例のテレビ携帯電話機を説明する。図１は視覚障害者側のテレビ携帯電話機を示す模式図である。図１（ａ）は外観斜視図であり、図１（ｂ）は側面図である。
【００１３】
図１に示すように、視覚障害者側のテレビ携帯電話機１０１は、２つの筐体に分かれており、カメラ１０２が設けられたカメラ設置部１０６と、カメラ設置部１０６を支える握り部１０７とを有する構成である。カメラ設置部１０６および握り部１０７の２つの筐体は角度変更部１０８で接続されている。テレビ携帯電話機１０１は、握り部１０７の上にカメラ設置部１０６を重ねるように、角度変更部１０８で屈折させて折り畳むことが可能な折り畳み式である。
【００１４】
握り部１０７を基準にして、カメラ設置部１０６は角度変更部１０８を介して２軸で回転可能な構成である。図１（ａ）は、直方体形状の握り部１０７の面のうち面積が最も大きい面の長辺を地面に対して垂直方向（Ｚ軸方向とする）にしたときの外観を示す。そして、テレビ携帯電話機１０１の中心を通るＺ軸を回転軸としてカメラ設置部１０６が３６０度回転可能であることを示している。本実施例では、図の上から見て、Ｚ軸を中心にして時計回りをプラスの回転方向とし、反時計回りをマイナスの回転方向とする。
【００１５】
図１（ｂ）は、図１（ａ）に示したカメラ設置部１０６と握り部１０７について面積が最も大きい面を図の左向きにしたときのテレビ携帯電話機１０１の側面を示す。そして、紙面に対して垂直方向をＸ軸とすると、握り部１０７の角度変更部１０８でＸ軸を回転軸としてカメラ設置部１０６が３６０度回転可能であることを示している。本実施例では、図１（ｂ）を正面に見て、Ｘ軸を中心にして時計回りをプラスの回転方向とし、反時計回りをマイナスの回転方向とする。
【００１６】
次に、視覚障害者側のテレビ携帯電話機１０１と介助者側のテレビ携帯電話機２０３のそれぞれの構成について詳しく説明する。
【００１７】
図２（ａ）は視覚障害者側のテレビ携帯電話機の一構成例を示すブロック図であり、図２（ｂ）は介助者側のテレビ携帯電話機の一構成例を示すブロック図である。
【００１８】
図２（ａ）に示すように、視覚障害者側のテレビ携帯電話機１０１は、カメラ１０２と、カメラ設置部１０６を駆動するための駆動部１０３と、基地局を介して外部とデータを送受信する通信部１１０と、画像データおよび音声データを一時的に保存する記憶部１１２と、各部を制御する制御部１１４と、操作部１０５とを有する。また、通話のためのマイク１１６およびスピーカ１１８が設けられている。なお、画像および音声のデータを符号化して送信し、受信するデータを復号化して元の画像および音声にして出力するテレビ電話の機能については、従来のテレビ携帯電話機と同様であるため、ここでは、詳細な説明を省略する。
【００１９】
カメラ１０２には、レンズ（不図示）と、レンズを通して取り込まれた光を電気信号に変換する撮像素子（不図示）とが設けられている。
【００２０】
制御部１１４は、プログラムにしたがって所定の処理を実行するＣＰＵ（Ｃｅｎｔｒａｌ  Ｐｒｏｃｅｓｓｉｎｇ  Ｕｎｉｔ）１４１と、プログラムを格納するためのメモリ１４２とを備えている。制御部１１４は、テレビ電話機能を実行する指示が入力されると、カメラ１０２を起動し、カメラ１０２の撮影した画像による画像データを通信部１１０および基地局を介してテレビ携帯電話機２０３に送信する。テレビ携帯電話機２０３から基地局および通信部１１０を介して音声データを受信すると、音声データによる音声をスピーカ１１８に出力させる。マイク１１６から音声が入力されると、入力される音声のデータを通信部１１０および基地局を介してテレビ携帯電話機２０３に送信する。
【００２１】
制御部１１４は、通信中のテレビ携帯電話機２０３から通信部１１０を介して、撮影方向を変更する旨の要求、回転軸の種類、回転方向、および変更角度の情報を含む撮影方向変更信号を受信すると、回転軸の種類、回転方向、および変更角度の情報を読み出し、その種類の回転軸を中心に指定された回転方向に変更角度の分だけ、現在の撮影方向を基準にしてその位置からカメラ設置部１０６を回転させるように駆動部１０３を動作させる。
【００２２】
次に、介助者側のテレビ携帯電話機の構成を、図２（ｂ）を参照して説明する。
【００２３】
図２（ｂ）に示すように、テレビ携帯電話機２０３は、基地局を介して外部とデータを送受信する通信部２１０と、画像データおよび音声データを一時的に保存する記憶部２１２と、画像データによる画像を表示する表示部２２０と、各部を制御する制御部２１４と、指示を入力するための操作部２０５とを有する。操作部２０５には、テレビ携帯電話機１０１のカメラ１０２の撮影方向を変更可能にするための撮影方向変更ボタン２０４が設けられている。また、テレビ携帯電話機１０１と同様に、通話のためのマイク２１６およびスピーカ２１８が設けられている。
【００２４】
制御部２１４は、プログラムにしたがって所定の処理を実行するＣＰＵ２４１と、プログラムを格納するためのメモリ２４２とを備えている。制御部２１４は、テレビ携帯電話機１０１から基地局および通信部２１０を介して受信する画像データによる画像を表示部２２０に表示させ、受信する音声データによる音声をスピーカ２１８に出力させる。また、マイク２１６を介して入力される音声のデータを通信部２１０および基地局を介してテレビ携帯電話機１０１に送信する。
【００２５】
また、制御部２１４は、撮影方向変更ボタン２０４が押され、回転軸の種類、回転方向、および変更角度が操作部２０５のキー操作により入力されると、撮影方向変更信号を通信部２１０を介して通信中の情報端末宛に送信する。本実施例では、テレビ携帯電話機１０１宛に撮影方向変更信号を基地局を介して送信する。撮影方向変更ボタン２０４が押されたときには、回転軸の種類および回転方向の指定なし、変更角度０度の情報を含む撮影方向変更信号が送信される。
【００２６】
次に、本実施例のテレビ携帯電話機の角度変更部１０８とその操作方法を説明する。
【００２７】
図３（ａ）はテレビ携帯電話機１０１の角度変更部１０８の一構成例を説明するための透視図である。図３（ｂ）は、図３（ａ）に示す角度変更部１０８の操作方法を説明するための、テレビ携帯電話機２０３の操作部２０５を示す図である。図３（ａ）では、テレビ携帯電話機１０１の外観の一部を省略するとともに、角度変更部１０８の説明のために、テレビ携帯電話機１０１の筐体外面を切り欠いて、その内部を一部見られるようにしている。
【００２８】
図３（ａ）に示すように、角度変更部１０８は、ＸとＺの２軸のそれぞれを中心にしてカメラ設置部１０６を回転させ、撮影方向を変更するための軸棒および歯車と、軸棒および歯車に動力を供給する駆動部とを有する。ここで言う駆動部は、図２に示した符号１０３の駆動部に相当し、モータ３０４、３０６を有する構成である。
【００２９】
カメラ設置部１０６の中心を通るＺ軸の軸棒の先端には、かさ歯車３０４が設けられている。かさ歯車３０４にかさ歯車３０５がかみ合わされ、かさ歯車３０５はモータ３０６の軸の先端に取り付けられている。モータ３０６の回転がかさ歯車３０４、３０５を介してカメラ設置部１０６の軸棒に伝わり、カメラ設置部１０６がＺ軸を中心に回転する。カメラ設置部１０６をＺ軸を中心に回転させるモータ３０６およびかさ車３０４、３０５は筒部３０７に覆われている。筒部３０７がＺ軸回転の軸受けになっている。
【００３０】
筒部３０７がＸ軸の軸棒３０１に接続され、握り部１０７が軸棒３０１の軸受けになっている。軸棒３０１および筒部３０７と握り部１０７の軸受けとからなる接続部がヒンジに相当する。部Ｘ軸の軸棒３０１には、握り部１０７の内部で、その回転軸を同じにした平歯車３０２が取り付けられている。平歯車３０２に平歯車３０３ｂがかみ合わされ、平歯車３０３ｂに平歯車３０３ａがかみ合わされている。平歯車３０３ａはモータ３０４の軸の先端に取り付けられている。モータ３０４の回転が平歯車３０３ａ、３０３ｂを介して平歯車３０２に伝わり、軸棒３０１が回転し、軸棒３０１の回転に合わせて筒部３０７を介してカメラ設置部１０６がＸ軸を中心に回転する。
【００３１】
また、モータ３０４は、Ｘ軸方向に移動させることが可能であり、平歯車３０３ａと平歯車３０３ｂとがかみ合う「セット位置」と、平歯車３０３ａと平歯車３０３ｂとがかみ合わない「フリー位置」とのいずれかの位置に置かれる。テレビ携帯電話機１０１は、撮影方向変更信号を受信すると、モータ３０４によりカメラ設置部１０６を回転可能にするために、モータ３０４を「セット位置」に移動させる。
【００３２】
使用者により手でカメラ設置部１０６を握り部１０７から引き離したり、その反対に折り畳んだりする際には、モータ３０４を「フリー位置」に移動させる。これにより、使用者が手でカメラ設置部１０６を開いたり、閉じたりするのを可能にしている。なお、モータ３０４を「フリー位置」に移動するには、操作部１０５のキー操作で行うものとし、その操作手順が予めプログラムに記述されているものとする。
【００３３】
図３（ｂ）に示すように、介助者側のテレビ携帯電話機の操作部２０５には、マイク２１６と、スピーカ２１８と、撮影方向変更ボタン２０４と、数字キーとが設けられている。撮影方向変更ボタン２０４が押されると、数字キーの「２」、「４」、「５」、「６」および「８」のそれぞれが回転軸の種類、回転方向、および変更角度の入力キーの役目を果たす。
【００３４】
数字キー「２」は、Ｘ軸のプラスの回転方向への変更角度の入力キーである。数字キー「８」は、Ｘ軸のマイナスの回転方向への変更角度の入力キーである。数字キー「６」は、Ｚ軸のプラスの回転方向への変更角度の入力キーである。数字キー「４」は、Ｚ軸のマイナスの回転方向への変更角度の入力キーである。数字キー「５」はカメラ設置部１０６を撮影方向変更ボタン２０４が押されたときの位置に戻すためのリセットキーである。それぞれの数字キーを押す回数または押している時間に比例して変更角度が大きくなる。以下に、操作の具体例を説明する。
【００３５】
介助者がテレビ携帯電話機２０３を使って視覚障害者のテレビ携帯電話機１０１の撮影画像を見ているときに、操作方向変更ボタン２０４を押すと、テレビ携帯電話機２０３は、回転軸の指定なし、変更角度が０度の撮影方向変更信号をテレビ携帯電話機１０１に送信する。続いて、介助者が数字キー「２」を２回押すと、テレビ携帯電話機２０３は、「Ｘ軸」および「＋２０度」の情報を含む撮影方向変更信号をテレビ携帯電話機１０１に送信する。これは、回転軸の種類がＸ軸で、回転方向がプラスで、変更角度が２０度であることを示す。
【００３６】
次に、本実施例のテレビ携帯電話機を用いたテレサポートを説明する。図４は本実施例のテレビ携帯電話機を用いてテレサポートを行う状況を示す図である。図５は本実施例のテレビ携帯電話機の動作手順を示すフローチャートである。
【００３７】
視覚障害者２０１は、遠隔地にいる介助者２０２のテレサポートを必要とすると、テレビ携帯電話機１０１を操作してテレビ携帯電話機２０３に電話をかける。視覚障害者２０１は、介助者２０２と通話を開始すると、テレビ携帯電話機１０１のカメラ１０２を起動させ、テレビ電話機能を実行させる。
【００３８】
テレビ携帯電話機１０１は、起動したカメラによる画像データをテレビ携帯電話機２０３に送信する（ステップ１００１）。テレビ携帯電話機２０３は、テレビ携帯電話機１０１から画像データを受信すると、受信したデータによる画像を表示部２２０に表示する（ステップ１００２）。介助者２０２は、このようにして視覚障害者２０１の撮影した画像を入手する。
【００３９】
視覚障害者２０１側のテレビ携帯電話機１０１から受け取る画像が視覚障害者２０１の要求する情報を読み取るのに最適でないと介助者２０２が判断した場合、介助者２０２は、撮影方向変更ボタン２０４のキーを押し、続けて、回転軸の種類、回転方向、および変更角度を数字キーで入力する。テレビ携帯電話機２０３は、ステップ１００４で、回転軸の種類、回転方向および変更角度の情報が入力されたか否かを判定し（ステップ１００４）、それらが入力されると、撮影方向変更信号をテレビ携帯電話機１０１に送信する（ステップ１００５）。ここでは、上述の具体例のように、撮影方向変更信号が「Ｘ軸」および「＋２０度」の情報を含むものとする。
【００４０】
テレビ携帯電話機１０１は、テレビ携帯電話機２０３から撮影方向変更信号を受信すると、その信号から回転軸「Ｘ軸」、回転方向「＋」、および変更角度「２０度」の情報を読み出し、現在の撮影方向からＸ軸を中心にしてプラスの回転方向に２０度だけカメラ設置部１０６を回転させる（ステップ１００６）。その後、ステップ１００１に戻って、テレビ携帯電話機１０１は、撮影方向を変更したカメラ１０２による画像データをテレビ携帯電話機２０３に送信する。
【００４１】
このようにして、介助者２０２は、情報を読み取るのに最適な画像を取得することができる。テレサポートの必要がなくなれば、視覚障害者２０１および介助者２０２の操作によりテレビ携帯電話機１０１、２０３が動作を終了する（ステップ１００３、１００７）。
【００４２】
次に、本実施例のテレビ携帯電話機によるテレサポートの効果をより具体的に示す例を説明する。
【００４３】
テレビ電話中のある時点で視覚障害者２０１から送られてくる画像のもう少し左方向を見たいと介助者２０２が希望する場合には、介助者２０２がテレビ携帯電話機２０３を操作して、カメラ１０２が現在よりも左方向を向くように撮影方向を変更する指示を入力する。テレビ携帯電話機２０３は、視覚障害者２０１側のテレビ携帯電話機１０１に対して撮影方向変更信号を送信する。テレビ携帯電話機１０１は、撮影方向変更信号を受信すると、その信号に含まれる、回転軸と変更角度の情報にしたがってカメラ１０２の撮影方向を変更する。
【００４４】
その際、視覚障害者２０１はテレビ携帯電話機１０１を動かす必要がなく固定していればよいので、視覚障害者２０１に負担を強いることない。また、カメラの撮影方向を介助者２０２自身が調整できるため、介助者２０２は、適切な画像を入手でき、スムーズなサポートが可能になる。
【００４５】
なお、本実施例では、外部からの信号で撮影方向を変更可能にしているが、撮影方向を変更するための操作ボタンを視覚障害者側のテレビ携帯電話機に備え、視覚障害者２０１自身がそのボタンを操作してカメラの撮影方向を変更してもよい。
【００４６】
この場合、視覚障害者はカメラを保持する手をそのままにして、指でボタンを操作するだけで撮影方向を変えることができる。そのため、手を動かして撮影方向を変える場合に大きく動かし過ぎることを防げる。
【００４７】
また、介助者２０２による撮影方向の変更指示の入力方法やテレビ携帯電話機２０３からの撮影方向変更信号の送信方法は、上述の場合に限られず、他の方法であってもよい。本実施例における撮影方向の変更指示は、回転軸の種類、回転方向、および変更角度の情報を含む撮影方向変更信号を送信することで行っていたが、カメラ設置部１０６の可動可能な回転軸が１つであってもよい。この場合、撮影方向変更信号に回転軸の種類の情報がなくてもよい。また、本実施例における撮影方向の変更指示は、基準位置に対する変更角度で指定するように相対値で行っているが、それぞれの軸についての回転角０度の基準位置を予め決め、絶対値で行ってもよい。さらに、回転方向を一方向だけに決めておいてもよい。この場合、回転方向を指定する必要がなくなる。
【００４８】
また、本実施例では、撮影方向変更ボタン２０４を設けたが、操作部１０５に従来設けられているキーの操作でカメラ１０２の撮影方向を変えるようにしてもよい。
【００４９】
また、実施例において、介助者側もテレビ携帯電話機を用いる場合で説明したが、介助者２０２側の機器としては画像受信・表示と音声通話ができれば他の情報処理装置であってもよい。パーソナルコンピュータ（ＰＣ）と固定電話機の組み合わせなどそれ以外の機器でもよい。この組み合わせの場合には、視覚障害者側のテレビ携帯電話機がインターネットなどのネットワークを介してデータを送信する機能を備えるものとし、通話は固定電話機で行われ、ＰＣはネットワークを介して携帯電話機から画像を取得する。
【００５０】
また、携帯電話機はテレビ携帯電話機の場合に限られない。静止画を用いてテレサポートするようにしてもよい。バス停の時刻表など文字情報を読むサポートを介助者にしてもらう場合、動画だと撮影者の手振れにより文字が読みにくくなるおそれがあるが、ピントが合った状態で撮影された静止画であれば文字が読みやすくなる。
【００５１】
さらに、角度変更部１０８には、複数の歯車をかみ合わせる場合で説明したが、歯車のみの場合に限らず、歯車とベルトを組み合わせてもよい。
【００５２】
本発明では、視覚障害者をテレサポートする介助者が遠隔地にいても、本発明の携帯電話機から介助者の情報端末に撮影画像を送信し、視覚障害者の要求する情報に応じて撮影方向を変更することで、介助者は、情報を読み取るのに最適な画像を確保し、視覚障害者に対するサポートをより容易にすることができる。
【００５３】
また、視覚障害者はテレビ携帯電話機を固定していればよく、介助者自身が撮影カメラの種類やその撮影方向を遠隔で操作できるようになるため、介助者の求める画像に素早く調整可能であり、スムーズなサポートが実現できる。
【００５４】
また、カメラの向きを２軸の回転軸のそれぞれについて変更可能にすることで、基準位置に対してねじれた向きの撮影をすることが可能である。また、携帯電話機を保持したままであれば、回転軸が１つの場合に比べて、撮影範囲が広くなる。
【図面の簡単な説明】
【００５５】
【図１】本実施例のテレビ携帯電話機の外観を示す模式図である。
【図２】本実施例のテレビ携帯電話機の一構成例を示すブロック図である。
【図３】本実施例のテレビ携帯電話機の角度変更部とその操作方法を説明するための図である。
【図４】本実施例のテレビ携帯電話機を用いたテレサポートの状況を示す図である。
【図５】本実施例のテレビ携帯電話機の動作手順を示すフローチャートである。
【符号の説明】
【００５６】
１０１、２０３    テレビ携帯電話機
１０２    カメラ
１０３    駆動部
１１０    通信部
１１４    制御部
【図１】
2008301400.tif 000003
【図２】
2008301400.tif 000004
【図３】
2008301400.tif 000005
【図４】
2008301400.tif 000006
【図５】
2008301400.tif 000007